(57)【特許請求の範囲】
【請求項１】
容器開口部のフランジにシールしたフィルム状の蓋体で前記容器開口部を閉じたカップ容器の前記蓋体を切断開封する開封補助具であって、前記蓋体の上からカップ容器に取り付けられる基体と前記基体に変位可能に取り付けられた切刃支持体とを有し、前記切刃支持体を前記変位させて前記蓋体を切断して開封するように構成し、前記基体と前記切刃支持体とがヒンジを介して連設されて前記容器開口部を横断して配置可能であり、基体の前記ヒンジの反対側の基端部が前記カップ容器のフランジに嵌着可能であり、切刃支持体から筒状体からなる注出口部材が一体に下向に突出されており、注出口部材の上端は口当て部を構成し下端部の少なくとも一部分に切刃が形成されており、かつ前記切刃支持体の前記ヒンジの反対側の先端部が前記切刃支持体の前記切刃が前記蓋体を切断して開封する位置において前記カップ容器のフランジに嵌着可能であることを特徴とするカップ型容器用開封補助具。
【請求項２】
前記ヒンジが前記容器開口部の中心線とほぼ交わるように構成されていることを特徴とする請求項１記載のカップ型容器用開封補助具。
【請求項３】
前記ヒンジが前記容器開口部の縁寄りに偏寄して形成されていることを特徴とする請求項１記載のカップ型容器用開封補助具。
【請求項４】
容器開口部のフランジにシールしたフィルム状の蓋体で前記容器開口部を閉じたカップ容器の前記蓋体を切断開封する開封補助具であって、前記蓋体に固定される基体と注出口部材を構成する切刃支持体とを回転中心回りの回転許容範囲が定められている相対回転変位と前記回転中心方向の相対直線変位とが可能に組み合わせて有し、かつ前記基体と前記切刃支持体とはねじによって螺合しており、前記相対回転変位と前記相対直線変位とは前記基体と前記切刃支持体との前記ねじにおける相対的な螺動によって生起されるように構成し、前記切刃支持体を前記相対回転変位と前記相対直線変位とをさせて前記蓋体を切断して開封するように構成し、前記切刃支持体に片持ち状に前記切刃支持体の中心寄りに張り出して形成され前記蓋体に当接して前記蓋体を押し下げるまで押し下げ可能な舌片を備えることを特徴とするカップ型容器用開封補助具。
【発明の詳細な説明】
【０００１】
【産業上の利用分野】
この発明はカップ型容器に充填された飲料内容物を飲む時に、その容器を開封する場合に使用する開封補助具に関するものである。
【０００２】
【従来の技術】
飲料内容物を吸引する場合に使用する伸縮自在なストローを熱収縮する袋に入れ、カップ型容器の側面に袋ごと装着したものは、従来から良く知られている。
【０００３】
これは、ストローの先端が鋭角になっているため、その鋭利な先端で使用時に蓋体の一部を貫通し、そのまま飲み口（吸い口）として使用するものであり、蓋体への貫通機能、カップ側面への簡易な装着機能など、優れた機能を有している。
【０００４】
しかしながら、上記従来例のストロー付きカップ型容器は、主に冷たい飲料等を収容する容器として使用されており、これを例えばホットコーヒーのようなホット飲料を収容する容器として使用することはホット飲料をストローで飲む習慣がないこともあり、またストロー自身の耐熱性等への考慮からストロー付カップ型容器はホット飲料には適応していない。
【０００５】
一方、上記したストロー付きカップ型容器ではない一般的なタイプのホット飲料詰カップ型容器では、蓋体の一部をカップ上面のフランジから剥し、Ｕ状に開封し、これを飲み口としている。
【０００６】
しかるにこのフランジに接着された蓋体を剥す操作は必ずしも容易でなく、剥離時に内容物をあふれさせてしまう事故が発生する場合もある。また、蓋体を剥した跡のフランジの表面は粗面になっていて、唇が触れる時のざらざらした感触が良好でない。またその粗面に内容物が付着して残留し易く不衛生になり易い。さらにまたこの場合、蓋体を剥せば剥す程、開口部が相乗的に大きくなるので飲み口となる開口部の面積が一定にならない。このような飲み口の場合は、カップを傾けて内容液を飲もうとする場合、想定した容量よりも多く開口部から流出する可能性があり、こぼれたり、あふれたりする可能性がある。
【０００７】
【課題】
この発明は上記の如き事情に鑑みてなされたものであって、飲料内容物詰カップ型容器の蓋体に装着して使用する補助具で、該蓋体の一部を簡易に開封することができると共に、構造が簡単で取り扱いが容易であり、口唇が接触するときの感触が良好で衛生的でもあり、該開封箇所を飲み口として使用したときに飲み易い一定形状の飲み口を構成し、ホット飲料にも冷たい飲料にも使用することができるカップ型容器の開封補助具を提供することを目的とするものである。
【０００８】
【解決手段】
この目的に対応して、この発明のカップ型容器用開封補助具は、容器開口部のフランジにシールしたフィルム状の蓋体で前記容器開口部を閉じたカップ容器の前記蓋体を切断開封する開封補助具であって、前記蓋体の上からカップ容器に取り付けられる基体と前記基体に変位可能に取り付けられた切刃支持体とを有し、前記切刃支持体を前記変位させて前記蓋体を切断して開封するように構成し、前記基体と前記切刃支持体とがヒンジを介して連設されて前記容器開口部を横断して配置可能であり、基体の前記ヒンジの反対側の基端部が前記カップ容器のフランジに嵌着可能であり、切刃支持体から筒状体からなる注出口部材が一体に下向に突出されており、注出口部材の上端は口当て部を構成し下端部の少なくとも一部分に切刃が形成されており、かつ前記切刃支持体の前記ヒンジの反対側の先端部が前記切刃支持体の前記切刃が前記蓋体を切断して開封する位置において前記カップ容器のフランジに嵌着可能であることを特徴としている。
また、この目的に対応して、この発明の他のカップ型容器用開封補助具は、容器開口部のフランジにシールしたフィルム状の蓋体で前記容器開口部を閉じたカップ容器の前記蓋体を切断開封する開封補助具であって、前記蓋体に固定される基体と注出口部材を構成する切刃支持体とを回転中心回りの回転許容範囲が定められている相対回転変位と前記回転中心方向の相対直線変位とが可能に組み合わせて有し、かつ前記基体と前記切刃支持体とはねじによって螺合しており、前記相対回転変位と前記相対直線変位とは前記基体と前記切刃支持体との前記ねじにおける相対的な螺動によって生起されるように構成し、前記切刃支持体を前記相対回転変位と前記相対直線変位とをさせて前記蓋体を切断して開封するように構成し、前記切刃支持体に片持ち状に前記切刃支持体の中心寄りに張り出して形成され前記蓋体に当接して前記蓋体を押し下げるまで押し下げ可能な舌片を備えることを特徴としている。
【０００９】
【実施例】
以下この発明の詳細を一実施例を示す図面について説明する。
図１及び図２において、１ａは開封補助具であり、カップ型容器２の開封に使用するものである。カップ型容器２は紙やプラスチック等を素材としてカップ状に形成された容器本体３とその容器本体３の上端開口部を閉じているフィルム状の蓋体４とからなっている。容器本体３は上端が開口していて、その開口部５の周縁部にフランジ６が形成されている。蓋体４はフランジ６にヒートシール等によって接着し開口部５を閉じている。容器本体３内には液体や粒体の内容物（図示せず）が充填されている。
【００１０】
開封補助具１ａは基体７と切刃支持体８とが連結していて、全体としてほぼ矩形板状の形状をなしていて、開口部５の直径に沿って開口部５を横断して配置される。基体７と切刃支持体８とは相対的な屈曲が可能なように構成される。この屈曲を容易にするために両者間の境目９にヒンジ１１を設けてもよい。ヒンジ１１を設ける場合は基体７と切刃支持体８はヒンジ１１によって相対的な折曲が可能である。ヒンジ１１は断面が山形をなす筋脈１２を開封補助具１ａを横断するように設けることによって、基体７と切刃支持体８の形状の性質が急激に変化して、基体７と切刃支持体８との不連続性を形成することによって構成される。この基体７と切刃支持体８との形状が筋脈１２で急激に変化することによって基体７と切刃支持体８とのヒンジ１１における相対的な折曲が容易になる。開封補助具１ａを全体として容器本体３の内部に向かって反らせて形成してもよい。この場合は開封補助具１ａが蓋体４を少々押し込む程度に沿っていると開封補助具１ａと蓋体４との密着性が向上する。基体７の境目９の反対側の基端部１４には係止部１３が設けられている。係止部１３は基端部１４の外縁部１５が下側に反転して隙間１６を形成しており、この隙間１６に容器本体３のフランジ６を差し込むことによって基体７を容器本体３に嵌着固定することが可能である。
【００１１】
一方、切刃支持体８の境目９の反対側の先端部１７には係止部１８が設けられている。係止部１８は先端部１７の外縁部２１が下向きに折れ曲がって、隙間２２を形成するとともにその内面にアンダーカット２３が形成されており、この隙間２２に容器本体３のフランジ６を差し込み、かつアンダーカット２３によって係止することによって切刃支持体８を容器本体３に固定することができる。切刃支持体８には先端部１７寄りの位置でかつ開封補助具１ａをカップ型容器２に取り付けたときに容器本体３の内側になる位置において注出口部材２４が設けられている。注出口部材２４は容器本体３の中心線２５とほぼ平行な中心線２６をもつ筒状体で、上下両端が開口しているが、開口している上端の縁部２７は滑らかな曲面で形成されていて、口当て部を構成する。注出口部材２４の高さは容器本体３の壁寄りの部分２８よりも容器本体３の中心線２５寄りの部分３１の方が大きい。この中心線２５寄りの部分３１の下端３２は縦断面形状で鋭利な先端となっていてフィルム状の蓋体４に突き立てるのに便利な形状になっている。また注出口部材２４の下端は切刃３３を構成しており、この切刃３３を鋭利なナイフエッジに形成すれば蓋体４の切断が一層容易である。この切刃３３には不使用時に刃を保護する刃の保護部材を用いてもよい。
【００１２】
このように構成された開封補助具１ａの使用方法は次の通りである。
蓋体４で開口部５が閉じているカップ型容器２に飲み口を穿孔する場合には、蓋体４の上に開封補助具１ａを持って来て、基体７の基端部１４の隙間１６にフランジ６を嵌め込んで基体７を容器本体３に固定する。このとき切刃支持体８は境目９またはヒンジ１１を中心として蓋体４からやや浮き上がった状態になっている。次に手指で切刃支持体８を上から下へ押圧すると、切刃支持体８はヒンジ１１を中心として下方に変位し、注出口部材２４の下端の鋭利な縁部３２が蓋体４に突き刺さり開封を開始する。さらに切刃支持体８を下に押圧し、ついに切刃支持体８の先端のアンダーカット２３が容器本体３のフランジと嵌合すると切刃支持体８が容器本体３に固定するが、この状態では注出口部材２４の下端の切刃３３が蓋体４を切断して開封する。容器本体３内の内容物は注出口部材２４を通して注出可能となる。
【００１３】
図３及び図４はこの発明の他の実施例に係る開封補助具１ｂを示している。この開封補助具１ｂではヒンジ１１が容器本体３の中心線２５から大きく反対側に寄った位置にあり、したがって切刃支持体８の長さが長くなり、ヒンジ１１を中心とする注出口部材２４の動きの軌跡は直線に近くなることから、切刃３３は蓋体に対して直線的に進入し、刺し込まれるので、蓋体の切断、開封が一層確実になる。切刃支持体８の長さが長くなるところから、リブ３７を設けて切刃支持体８の剛性を高めることができる。
【００１４】
図５から図７はこの発明のさらに他の実施例に係る開封補助具１ｃを示している。この開封補助具１ｃは同心状に重ねて配置された基体７ｃと切刃支持体８ｃとを備えている。基体７ｂと切刃支持体８ｂはそれぞれのねじ３４、３５によって螺合していて、中心線３６の回りに相対回転が可能であり、また、この相対回転によって中心線３６の方向に相対直線変位が可能である。基体７は蓋体４に接着して固定する。切刃支持体８には切刃３３が形成されている。切刃３３は所定の角度範囲で、かつ所定の間隔で配置された３枚の切刃３３ａ、３３ｂ、３３ｃからなっていて、切刃３３ａはａ点からｂ点まで、切刃３３ｂはｃ点からｄ点まで、切刃３３ｃはｅ点からｆ点までの角度範囲に形成されていて、それぞれの切刃３３ａ、３３ｂ、３３ｃは、切刃支持体８が角度１／２（ｇ−ｈ）＝θだけ中心線３６の回りに回転すると、切刃３３ａ、３３ｂ、３３ｃが相対直線位により下降して蓋体４に接触して切り込みを開始するように構成されている。切刃支持体８の回転の許容範囲は１８０°とし、この許容範囲の回転が可能になるように、基体７と切刃支持体８との間に中心線３６方向のギャップ３８が準備されている。切刃支持体８のこの１８０°の回転によって、角度範囲（ｇ−ｈ）＝２θの切り残し部分４１を残して蓋体４が切断される。切刃支持体８には舌片４２が片持ち状に中心附近まで張り出して形成されており、この舌片４２を倒して蓋体４の切断した切片を下に押し下げて開口することができる。切刃支持体８からは摘み片４３が突出していて、切刃支持体８の回転操作を容易にする。
【００１５】
【発明の効果】
この発明の開封補助具では、注出口部材２４が定められた大きさ及び形状に蓋体４を切断して開封するので、開口が予想外の大きさ、形状となることがなく、内容物の流れ出し位置や注出量が想定された範囲となるので、注出時に内容物がこぼれたり、あふれたりする事故が発生することはない。
【００１６】
以上の説明から明らかな通り、この発明によれば、カップ型容器の蓋体の一部を簡易に開封することができると共に、この開封箇所を飲み口として使用したときに、飲み易い形状の飲み口を構成するカップ型容器のホット飲料にも冷たい飲料にも使用することができる開封補助具を得ることができる。
【００１７】
【図面の簡単な説明】
【図１】開封補助具の平面図。
【図２】開封補助具の縦断面図。
【図３】他の開封補助具の平面図。
【図４】他の開封補助具の縦断面図。
【図５】他の開封補助具の平面図。
【図６】他の開封補助具の縦断面図。
【図７】蓋体との関係を示す他の開封補助具の底面図。
【符号の説明】
１ａ、１ｂ、１ｃ    開封補助具
２                  カップ型容器
３                  容器本体
４                  蓋体
５                  開口部
６                  フランジ
７                  基体
８                  切刃支持体
９                  境目
１１                ヒンジ
１２                筋脈
１３                係止部
１４                基端部
１５                外縁部
１６                隙間
１７                先端部
１８                係止部
２１                外縁部
２２                隙間
２３                アンダーカット
２４                注出口部材
２５                中心線
２６                中心線
２７                縁部
２８                縁寄りの部分
３１                中心線寄りの部分
３２                下端
３３                切刃
３４                ねじ
３５                ねじ
３６                中心線
３７                リブ
３８                ギャップ
４１                切り残し部分
４２                舌片
４３                摘み片
【図１】
0004320527.tif 000002
【図２】
0004320527.tif 000003
【図３】
0004320527.tif 000004
【図４】
0004320527.tif 000005
【図５】
0004320527.tif 000006
【図６】
0004320527.tif 000007
【図７】
0004320527.tif 000008